(57)【特許請求の範囲】
【請求項１】
画面データを記憶する第１の表示装置と、前記第１の表示装置が記憶する画面データに基づく画面を表示する第２の表示装置とを備えた表示システムであって、
画面の移動を要求するフリック操作を前記第２の表示装置で受け付ける操作受付手段と、
前記操作受付手段にて受け付けたフリック操作に関するフリック情報を前記第１の表示装置に送信する第１の送信手段と、
前記フリック情報に基づいて、フリック速さを測定する速さ測定手段と、
前記速さ測定手段にて測定したフリック速さに基づいて、移動開始から移動完了までの画面の画面データとして、前記第１の表示装置が記憶する画面データの解像度よりも低い解像度を有する画面データを作成する画面データ作成手段と、
前記画面データ作成手段により作成された画面データを前記第１の表示装置から前記第２の表示装置へ順次送信する第２の送信手段と、
前記第２の送信手段にて送信した画面データに基づく画面を前記第２の表示装置で表示する第１の表示手段とを備えた、表示システム。
【請求項２】
画面データを記憶する第１の表示装置と、前記第１の表示装置が記憶する画面データに基づく画面を表示する第２の表示装置とを備えた表示システムであって、
画面の移動を要求するフリック操作を前記第２の表示装置で受け付ける操作受付手段と、
前記操作受付手段にて受け付けたフリック操作に関するフリック情報を前記第１の表示装置に送信する第１の送信手段と、
前記フリック情報に基づいて、移動開始から移動完了までの画面の画面データとして、前記第１の表示装置が記憶する画面データの解像度よりも低い解像度を有する画像データであって、画面の移動とともに画面の解像度が徐々に増加する画面データを作成する画面データ作成手段と、
前記画面データ作成手段により作成された画面データを前記第１の表示装置から前記第２の表示装置へ順次送信する第２の送信手段と、
前記第２の送信手段にて送信した画面データに基づく画面を前記第２の表示装置で表示する第１の表示手段とを備えた、表示システム。
【請求項３】
画面データを記憶する第１の表示装置と、前記第１の表示装置が記憶する画面データに基づく画面を表示する第２の表示装置とを備えた表示システムであって、
画面の移動を要求するフリック操作を前記第２の表示装置で受け付ける操作受付手段と、
前記操作受付手段にて受け付けたフリック操作に関するフリック情報を前記第１の表示装置に送信する第１の送信手段と、
前記フリック情報に基づいて、移動開始から移動完了までの画面の画面データとして、前記第１の表示装置が記憶する画面データの解像度よりも低い解像度を有する画像データであって、相対的に低い解像度の複数の画面の間に相対的に高い解像度の画面が一定周期で出現する画面データを作成する画面データ作成手段と、
前記画面データ作成手段により作成された画面データを前記第１の表示装置から前記第２の表示装置へ順次送信する第２の送信手段と、
前記第２の送信手段にて送信した画面データに基づく画面を前記第２の表示装置で表示する第１の表示手段とを備えた、表示システム。
【請求項４】
画面データを記憶する第１の表示装置と、前記第１の表示装置が記憶する画面データに基づく画面を表示する第２の表示装置とを備えた表示システムであって、
画面の移動を要求するフリック操作を前記第２の表示装置で受け付ける操作受付手段と、
前記操作受付手段にて受け付けたフリック操作に関するフリック情報を前記第１の表示装置に送信する第１の送信手段と、
前記フリック情報に基づいて、移動開始から移動完了までの画面の画面データとして、前記第１の表示装置が記憶する画面データの解像度よりも低い解像度を有する画像データであって、送信回数の増加とともに画面の解像度が正弦波で変動する画面データを作成する画面データ作成手段と、
前記画面データ作成手段により作成された画面データを前記第１の表示装置から前記第２の表示装置へ順次送信する第２の送信手段と、
前記第２の送信手段にて送信した画面データに基づく画面を前記第２の表示装置で表示する第１の表示手段とを備えた、表示システム。
【請求項５】
前記フリック情報に基づいて、移動完了の画面の画面データを前記第１の表示装置から前記第２の表示装置へ送信する第３の送信手段をさらに備え、
移動完了の画面の画面データとして、前記第３の送信手段は、前記第１の表示装置が記憶する画面データの解像度と同じ解像度の画面データを送信する、請求項１〜４のいずれかに記載の表示システム。
【請求項６】
前記フリック情報は、前記フリック操作の際の前記第２の表示装置への操作部の接触位置、前記フリック操作の際の第２の表示装置上での操作部の移動方向、前記フリック操作の際に前記第２の表示装置から操作部が離れた位置、および前記フリック操作の際の前記第２の表示装置への操作部の接触時間を含む、請求項１〜５のいずれかに記載の表示システム。
【請求項７】
前記第１の表示装置と前記第２の表示装置とは互いに無線通信を行う、請求項１〜６のいずれかに記載の表示システム。
【請求項８】
前記フリック操作に関する情報に基づいて、移動開始から移動完了までの画面データの画面を前記第１の表示装置に表示する第２の表示手段をさらに備えた、請求項１〜７のいずれかに記載の表示システム。
【請求項９】
前記第１の表示装置は画像形成装置である、請求項１〜８のいずれかに記載の表示システム。
【請求項１０】
画面データを記憶する記憶手段を備えた表示装置であって、
画面の移動を要求するフリック操作に関するフリック情報を他の表示装置から受信する受信手段と、
前記フリック情報に基づいて、フリック速さを測定する速さ測定手段と、
前記速さ測定手段にて測定したフリック速さに基づいて、移動開始から移動完了までの画面の画面データとして、前記記憶手段にて記憶した画面データの解像度よりも低い解像度を有する画面データを作成する画面データ作成手段と、
前記画面データ作成手段により作成された画面データを前記他の表示装置へ順次送信する送信手段とをさらに備えた、表示装置。
【請求項１１】
画面データを記憶する記憶手段を備えた表示装置であって、
画面の移動を要求するフリック操作に関するフリック情報を他の表示装置から受信する受信手段と、
前記フリック情報に基づいて、移動開始から移動完了までの画面の画面データとして、前記記憶手段にて記憶した画面データの解像度よりも低い解像度を有する画面データであって、画面の移動とともに画面の解像度が徐々に増加する画面データを作成する画面データ作成手段と、
前記画面データ作成手段により作成された画面データを前記他の表示装置へ順次送信する送信手段とをさらに備えた、表示装置。
【請求項１２】
画面データを記憶する記憶手段を備えた表示装置であって、
画面の移動を要求するフリック操作に関するフリック情報を他の表示装置から受信する受信手段と、
前記フリック情報に基づいて、移動開始から移動完了までの画面の画面データとして、前記記憶手段にて記憶した画面データの解像度よりも低い解像度を有する画面データであって、相対的に低い解像度の複数の画面の間に相対的に高い解像度の画面が一定周期で出現する画面データを作成する画面データ作成手段と、
前記画面データ作成手段により作成された画面データを前記他の表示装置へ順次送信する送信手段とをさらに備えた、表示装置。
【請求項１３】
画面データを記憶する記憶手段を備えた表示装置であって、
画面の移動を要求するフリック操作に関するフリック情報を他の表示装置から受信する受信手段と、
前記フリック情報に基づいて、移動開始から移動完了までの画面の画面データとして、前記記憶手段にて記憶した画面データの解像度よりも低い解像度を有する画面データであって、送信回数の増加とともに画面の解像度が正弦波で変動する画面データを作成する画面データ作成手段と、
前記画面データ作成手段により作成された画面データを前記他の表示装置へ順次送信する送信手段とをさらに備えた、表示装置。
【発明の詳細な説明】
【技術分野】
【０００１】
本発明は表示システム、表示システムの制御プログラム、および表示装置に関し、より特定的には、画面データを記憶する第１の表示装置と、第１の表示装置が記憶する画面データに基づく画面を表示する第２の表示装置とを備えた表示システム、表示システムの制御プログラム、および表示装置に関する。
【背景技術】
【０００２】
近年、携帯通信端末が高機能化しており、個人がＰＣ（パーソナルコンピューター）の代わりに携帯通信端末を所有している。携帯通信端末では、電子化された文書を自由な場所で閲覧および編集することができる。携帯通信端末は、業務や生活の様々な場面で用いられている。
【０００３】
携帯通信端末の高機能化に伴い、本体パネル（操作パネル）を有する画像形成装置と、リモートパネルを有する携帯通信端末とを備えた表示システムにおいて、画像形成装置と携帯通信端末との連携が求められている。具体的には、たとえば本体パネルで表示した画面と同一の画面を、リモートパネルでも表示することなどが求められている。
【０００４】
本体パネルで表示した画面と同一の画面をリモートパネルでも表示する場合、従来においては、携帯通信端末は、本体パネルに表示する画面データであって、画像形成装置のＲＡＭ（Ｒａｎｄｏｍ  Ａｃｃｅｓｓ  Ｍｅｍｏｒｙ）などに記憶された画面データを取得して、取得した画面データに基づいてリモートパネルにも表示していた。リモートパネルが表示する静止画面を変更する操作をユーザーから受け付けた場合には、その都度、画像形成装置から変更後の画面のデータを取得していた。
【０００５】
表示元の画面を他の端末で表示する技術は、たとえば下記特許文献１に開示されている。下記特許文献１には、送信先の装置の性能を記憶している記憶部と、モーフィングによって動画を生成する動画生成部とを有する通信装置が開示されている。この通信装置は、モーフィングで生成する像の数や各像のデータ量を、送信先の装置の性能に応じて定める。この通信装置は、送信先の装置の受信速度に応じて像の数やデータ量を定める。
【先行技術文献】
【特許文献】
【０００６】
【特許文献１】特開２００５−１３５０４７号公報
【発明の概要】
【発明が解決しようとする課題】
【０００７】
携帯通信端末の中には、フリック操作などのジェスチャーによる操作が可能なものがある。この種の携帯通信端末によれば、より直接的、より直感的な操作が可能である。しかし従来の技術では、携帯通信端末でフリック操作を行った場合に、画像形成装置がフリック操作に対応できず、携帯通信端末はユーザーが所望する画面を表示することができなかった。その結果、ユーザーの利便性が悪いという問題があった。
【０００８】
この問題は、画像形成装置と携帯通信端末との間の問題のみならず、画面データを記憶する第１の表示装置と、第１の表示装置が記憶する画面データに基づく画面を表示する第２の表示装置とを備えた表示システムなどに共通する問題であった。
【０００９】
本発明は、上記課題を解決するためのものであり、その目的は、ユーザーの利便性を向上することのできる表示システムおよび表示装置を提供することである。
【課題を解決するための手段】
【００１０】
本発明の一の局面に従う表示システムは、画面データを記憶する第１の表示装置と、第１の表示装置が記憶する画面データに基づく画面を表示する第２の表示装置とを備えた表示システムであって、画面の移動を要求するフリック操作を第２の表示装置で受け付ける操作受付手段と、操作受付手段にて受け付けたフリック操作に関するフリック情報を第１の表示装置に送信する第１の送信手段と、フリック情報に基づいて、フリック速さを測定する速さ測定手段と、速さ測定手段にて測定したフリック速さに基づいて、移動開始から移動完了までの画面の画面データとして、第１の表示装置が記憶する画面データの解像度よりも低い解像度を有する画面データを作成する画面データ作成手段と、画面データ作成手段により作成された画面データを第１の表示装置から第２の表示装置へ順次送信する第２の送信手段と、第２の送信手段にて送信した画面データに基づく画面を第２の表示装置で表示する第１の表示手段とを備える。
本発明の他の局面に従う表示システムは、画面データを記憶する第１の表示装置と、第１の表示装置が記憶する画面データに基づく画面を表示する第２の表示装置とを備えた表示システムであって、画面の移動を要求するフリック操作を第２の表示装置で受け付ける操作受付手段と、操作受付手段にて受け付けたフリック操作に関するフリック情報を第１の表示装置に送信する第１の送信手段と、フリック情報に基づいて、移動開始から移動完了までの画面の画面データとして、第１の表示装置が記憶する画面データの解像度よりも低い解像度を有する画像データであって、画面の移動とともに画面の解像度が徐々に増加する画面データを作成する画面データ作成手段と、画面データ作成手段により作成された画面データを第１の表示装置から第２の表示装置へ順次送信する第２の送信手段と、第２の送信手段にて送信した画面データに基づく画面を第２の表示装置で表示する第１の表示手段とを備える。
本発明のさらに他の局面に従う表示システムは、画面データを記憶する第１の表示装置と、第１の表示装置が記憶する画面データに基づく画面を表示する第２の表示装置とを備えた表示システムであって、画面の移動を要求するフリック操作を第２の表示装置で受け付ける操作受付手段と、操作受付手段にて受け付けたフリック操作に関するフリック情報を第１の表示装置に送信する第１の送信手段と、フリック情報に基づいて、移動開始から移動完了までの画面の画面データとして、第１の表示装置が記憶する画面データの解像度よりも低い解像度を有する画像データであって、相対的に低い解像度の複数の画面の間に相対的に高い解像度の画面が一定周期で出現する画面データを作成する画面データ作成手段と、画面データ作成手段により作成された画面データを第１の表示装置から第２の表示装置へ順次送信する第２の送信手段と、第２の送信手段にて送信した画面データに基づく画面を第２の表示装置で表示する第１の表示手段とを備える。
本発明のさらに他の局面に従う表示システムは、画面データを記憶する第１の表示装置と、第１の表示装置が記憶する画面データに基づく画面を表示する第２の表示装置とを備えた表示システムであって、画面の移動を要求するフリック操作を第２の表示装置で受け付ける操作受付手段と、操作受付手段にて受け付けたフリック操作に関するフリック情報を第１の表示装置に送信する第１の送信手段と、フリック情報に基づいて、移動開始から移動完了までの画面の画面データとして、第１の表示装置が記憶する画面データの解像度よりも低い解像度を有する画像データであって、送信回数の増加とともに画面の解像度が正弦波で変動する画面データを作成する画面データ作成手段と、画面データ作成手段により作成された画面データを第１の表示装置から第２の表示装置へ順次送信する第２の送信手段と、第２の送信手段にて送信した画面データに基づく画面を第２の表示装置で表示する第１の表示手段とを備える。
【００２１】
上記表示システムにおいて好ましくは、フリック情報に基づいて、移動完了の画面の画面データを第１の表示装置から第２の表示装置へ送信する第３の送信手段をさらに備え、移動完了の画面の画面データとして、第３の送信手段は、第１の表示装置が記憶する画面データの解像度と同じ解像度の画面データを送信する。
【００２２】
上記表示システムにおいて好ましくは、フリック情報は、フリック操作の際の第２の表示装置への操作部の接触位置、フリック操作の際の第２の表示装置上での操作部の移動方向、フリック操作の際に第２の表示装置から操作部が離れた位置、およびフリック操作の際の第２の表示装置への操作部の接触時間を含む。
【００２３】
上記表示システムにおいて好ましくは、第１の表示装置と第２の表示装置とは互いに無線通信を行う。
【００２４】
上記表示システムにおいて好ましくは、フリック操作に関する情報に基づいて、移動開始から移動完了までの画面データを第１の表示装置に表示する第２の表示手段をさらに備える。
【００２５】
上記表示システムにおいて好ましくは、第１の表示装置は画像形成装置である。
【００２８】
本発明のさらに他の局面に従う表示装置は、画面データを記憶する記憶手段を備えた表示装置であって、画面の移動を要求するフリック操作に関するフリック情報を他の表示装置から受信する受信手段と、フリック情報に基づいて、フリック速さを測定する速さ測定手段と、速さ測定手段にて測定したフリック速さに基づいて、移動開始から移動完了までの画面の画面データとして、記憶手段にて記憶した画面データの解像度よりも低い解像度を有する画面データを作成する画面データ作成手段と、画面データ作成手段により作成された画面データを他の表示装置へ順次送信する送信手段とをさらに備える。
本発明のさらに他の局面に従う表示装置は、画面データを記憶する記憶手段を備えた表示装置であって、画面の移動を要求するフリック操作に関するフリック情報を他の表示装置から受信する受信手段と、フリック情報に基づいて、移動開始から移動完了までの画面の画面データとして、記憶手段にて記憶した画面データの解像度よりも低い解像度を有する画面データであって、画面の移動とともに画面の解像度が徐々に増加する画面データを作成する画面データ作成手段と、画面データ作成手段により作成された画面データを他の表示装置へ順次送信する送信手段とをさらに備える。
本発明のさらに他の局面に従う表示装置は、画面データを記憶する記憶手段を備えた表示装置であって、画面の移動を要求するフリック操作に関するフリック情報を他の表示装置から受信する受信手段と、フリック情報に基づいて、移動開始から移動完了までの画面の画面データとして、記憶手段にて記憶した画面データの解像度よりも低い解像度を有する画面データであって、相対的に低い解像度の複数の画面の間に相対的に高い解像度の画面が一定周期で出現する画面データを作成する画面データ作成手段と、画面データ作成手段により作成された画面データを他の表示装置へ順次送信する送信手段とをさらに備える。
本発明のさらに他の局面に従う表示装置は、画面データを記憶する記憶手段を備えた表示装置であって、画面の移動を要求するフリック操作に関するフリック情報を他の表示装置から受信する受信手段と、フリック情報に基づいて、移動開始から移動完了までの画面の画面データとして、記憶手段にて記憶した画面データの解像度よりも低い解像度を有する画面データであって、送信回数の増加とともに画面の解像度が正弦波で変動する画面データを作成する画面データ作成手段と、画面データ作成手段により作成された画面データを他の表示装置へ順次送信する送信手段とをさらに備える。
【発明の効果】
【００３０】
本発明によれば、ユーザーの利便性を向上することのできる表示システムおよび表示装置を提供することができる。
【図面の簡単な説明】
【００３１】
【図１】本発明の第１の実施の形態における表示システムの概略的な構成を示す図である。
【図２】画像形成装置１の内部構成を示すブロック図である。
【図３】携帯通信端末２の内部構成を示すブロック図である。
【図４】携帯通信端末２がフリック操作を受け付けた場合に携帯通信端末２が表示する画面を模式的に示す図である。
【図５】本発明の第１の実施の形態において、パネルＡとパネルＢとの間で行われる通信の一例を示すシーケンス図である。
【図６】本発明の第１の実施の形態における、パネルＢ上でフリック操作を受け付けた場合のパネルＡの動作を説明するフローチャートである。
【図７】本発明の第１の実施の形態における、パネルＢ上でフリック操作を受け付けた場合のパネルＢの動作を説明するフローチャートである。
【図８】本発明の第２の実施の形態において、パネルＡとパネルＢとの間で行われる通信の一例を示すシーケンス図である。
【図９】本発明の第２の実施の形態における、パネルＢ上でフリック操作を受け付けた場合のパネルＡの動作を説明するフローチャートである。
【図１０】本発明の第２の実施の形態における、パネルＢ上でフリック操作を受け付けた場合のパネルＢの動作を説明するフローチャートである。
【図１１】本発明の第３の実施の形態において、パネルＡとパネルＢとの間で行われる通信の一例を示すシーケンス図である。
【図１２】本発明の第３の実施の形態における、パネルＢ上でフリック操作を受け付けた場合のパネルＡの動作を説明するフローチャートである。
【図１３】本発明の第４の実施の形態におけるフリック速さと解像度との関係を示すグラフである。
【図１４】本発明の第４の実施の形態における、パネルＢ上でフリック操作を受け付けた場合のパネルＡの動作を説明するフローチャートである。
【図１５】本発明の第５の実施の形態における画面移動の位置と解像度との関係を示すグラフである。
【図１６】本発明の第５の実施の形態における、パネルＢ上でフリック操作を受け付けた場合のパネルＡの動作を説明するフローチャートである。
【図１７】本発明の第６の実施の形態における、パネルＡが画面データを送信した回数（送信回数）と解像度との関係を示すグラフである。
【図１８】本発明の第６の実施の形態における、パネルＢ上でフリック操作を受け付けた場合のパネルＡの動作を説明するフローチャートである。
【図１９】本発明の第７の実施の形態における、パネルＡが画面データを送信した回数（送信回数）と解像度との関係を示すグラフである。
【図２０】本発明の第７の実施の形態における、パネルＢ上でフリック操作を受け付けた場合のパネルＡの動作を説明するフローチャートである。
【図２１】本発明の第８の実施の形態における、解像度を高くするエリアの決定方法を説明する図である。
【図２２】本発明の第８の実施の形態における、パネルＢ上でフリック操作を受け付けた場合のパネルＡの動作を説明するフローチャートである。
【図２３】本発明の第９の実施の形態における、解像度を低くするエリアの決定方法を説明する図である。
【図２４】本発明の第９の実施の形態における、パネルＢ上でフリック操作を受け付けた場合のパネルＡの動作を説明するフローチャートである。
【図２５】携帯通信端末２がフリック操作を受け付けた場合に携帯通信端末２が表示する画面であって、画像を含む画面を模式的に示す図である。
【図２６】本発明の第１０の実施の形態における、パネルＢ上でフリック操作を受け付けた場合のパネルＡの動作を説明するフローチャートである。
【図２７】本発明の第１１の実施の形態における、パネルＢ上でフリック操作を受け付けた場合のパネルＡの動作を説明するフローチャートである。
【図２８】本発明の第１２の実施の形態における、パネルＢ上でフリック操作を受け付けた場合のパネルＡの動作を説明するフローチャートである。
【発明を実施するための形態】
【００３２】
以下、本発明の実施の形態について、図面に基づいて説明する。
【００３３】
以下の実施の形態の表示システムは、画面データを記憶する第１の表示装置と、第１の表示装置が記憶する画面データに基づく画面を表示する第２の表示装置とを備えた表示システムである。以下の実施の形態では、画像形成装置が第１の表示装置であり、画像形成装置と有線通信または無線通信が可能な携帯通信端末が第２の表示装置である場合について説明する。
【００３４】
以下の実施の形態において、「フリック操作」とは、タッチパネルに触れた操作指や操作具を、タッチパネルに触れたまま任意の方向にスライドさせる操作を意味している。
【００３５】
［第１の実施の形態］
始めに、本実施の形態における表示システムの構成について説明する。
【００３６】
図１は、本発明の第１の実施の形態における表示システムの概略的な構成を示す図である。
【００３７】
図１を参照して、表示システムは、画像形成装置１と、携帯通信端末２とを備えている。画像形成装置１は、たとえばスキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）である。画像形成装置１は、ネットワーク４を通じて外部機器（図示無し）や携帯通信端末２と相互に接続されている。
【００３８】
ネットワーク４は、たとえば有線または無線のＬＡＮ（Ｌｏｃａｌ  Ａｒｅａ  Ｎｅｔｗｏｒｋ）などの専用回線を用いたものである。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。なお、ネットワーク４は、一般回線を用いたものや無線通信を用いたものであってもよい。
【００３９】
画像形成装置１は、たとえば、走査した原稿画像や、外部機器や携帯通信端末２から受信したプリントデータに基づいて生成した画像の複写画像を、用紙上に形成する。プリントデータとは、たとえば、外部機器や携帯通信端末２のオペレーティングシステムやアプリケーションプログラムが発行する描画命令を、プリンタドライバによって画像形成装置１が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００４０】
画像形成装置１は、ネットワーク４を介して、外部機器や携帯通信端末２に原稿画像を送信することも可能である。さらに画像形成装置１は、外部機器や携帯通信端末２から受信した文書データを、画像形成装置１内の固定記憶装置に蓄積することも可能である。
【００４１】
携帯通信端末２は、画像形成装置１との間で無線通信または有線通信（好ましくは無線通信）によりデータの送受信を行うことが可能である。携帯通信端末２は、ＣＰＵ（Ｃｅｎｔｒａｌ  Ｐｒｏｃｅｓｓｉｎｇ  Ｕｎｉｔ）、ＲＡＭ、固定記憶装置、モニター、およびタッチ操作可能なＬＣＤ（Ｌｉｑｕｉｄ  Ｃｒｙｓｔａｌ  Ｄｉｓｐｌａｙ）パネルなどを有する携帯型のコンピュータ装置である。
【００４２】
なお、表示システムは、図１とは異なる構成を有していてもよい。表示システムは、たとえば、画面データを記憶する画像形成装置であって操作パネルを含まない画像形成装置と、画像形成装置が記憶する画面データに基づく画面を無線通信により表示する表示装置とを備えたものであってもよい。画像形成装置は、たとえば電子写真方式や静電記録方式などによって画像形成を行うものであり、ＭＦＰの他、ファクシミリ装置、複写機、またはプリンタなどであってもよい。第１の表示装置は、画像形成装置に固定された操作パネルである場合の他、たとえば携帯通信端末や、画像形成装置に対して着脱可能であり、かつ画像形成装置と無線通信が可能な操作パネルなどであってもよい。第２の表示装置は、携帯通信端末である場合の他、たとえば画像形成装置に固定された操作パネルや、画像形成装置に対して着脱可能な操作パネルなどであってもよい。
【００４３】
図２は、画像形成装置１の内部構成を示すブロック図である。
【００４４】
図２を参照して、画像形成装置１は、ＣＰＵ１０１と、ＲＯＭ（Ｒｅａｄ  Ｏｎｌｙ  Ｍｅｍｏｒｙ）１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、画像出力装置１４０と、プリンタコントローラ１５０と、ネットワークＩ／Ｆ１６０と、ワイヤレスＩ／Ｆ１７０と、短距離無線Ｉ／Ｆ１８０と、ドックコネクタ１９０とを含んでいる。
【００４５】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＲＯＭ１０２は、画像形成装置１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００４６】
制御部１００には、固定記憶装置１１０、画像読取装置１２０、操作パネル１３０、画像出力装置１４０、プリンタコントローラ１５０、ネットワークＩ／Ｆ１６０、およびワイヤレスＩ／Ｆ１７０の各々がバスを介して接続されている。固定記憶装置１１０は、たとえばハードディスク装置であり、操作パネル１３０および携帯通信端末２に表示する画面の画面データを記憶している。画像読取装置１２０は、原稿画像を読み取る。操作パネル１３０は、数字の入力を行うテンキー１３１や、印刷の実行指示を受け付けるプリントキー１３２や、ユーザーのログアウトの指示を受け付けるログアウトキー１３３や、各種情報を表示する表示部１３４などを含んでいる。操作パネル１３０は表示部１３４を含んでいるため、画像形成装置１は表示装置の一種である。画像出力装置１４０は、複写画像を用紙上に形成する。プリンタコントローラ１５０は、ネットワークＩ／Ｆ１６０により受信したプリントデータから複写画像を生成する。ネットワークＩ／Ｆ１６０は、ネットワークケーブル４ｃを介して画像形成装置１をネットワーク４に接続する。ネットワークＩ／Ｆ１６０は、外部機器や携帯通信端末２との間で、各種の情報を送受信する。ワイヤレスＩ／Ｆ１７０は、外部機器や携帯通信端末２との間で無線通信を行う。
【００４７】
制御部１００には、さらに、短距離無線Ｉ／Ｆ１８０およびドックコネクタ１９０の各々がバスを介して接続されている。短距離無線Ｉ／Ｆ１８０は、たとえばＢｌｕｅｔｏｏｔｈ（登録商標）やＩｒＤＡ（登録商標）などであり、主に携帯通信端末２との通信に用いられる。短距離無線Ｉ／Ｆ１８０は、たとえば、印刷後の用紙が排紙される排紙部、操作パネル１３０付近、または、排紙部とは反対側の部位などに配置されてもよい。ドックコネクタ１９０には、携帯通信端末２が装着される。画像形成装置１はドックコネクタ１９０を通じて、携帯通信端末２との間で各種のデータを送受信する。
【００４８】
図３は、携帯通信端末２の内部構成を示すブロック図である。
【００４９】
図３を参照して、携帯通信端末２は、ＣＰＵ２０１と、ＲＯＭ２０２と、ＲＡＭ２０３と、固定記憶装置２１０と、タッチパネル２２０と、ワイヤレスＬＡＮＩ／Ｆ２７０と、短距離無線Ｉ／Ｆ２８０と、ドックコネクタ２９０とを含んでいる。ＣＰＵ２０１には、ＲＯＭ２０２およびＲＡＭ２０３の各々がバスを介して接続されている。ＣＰＵ２０１、ＲＯＭ２０２、およびＲＡＭ２０３によって制御部２００が構成されている。ＲＯＭ２０２は、携帯通信端末２の動作を制御する制御プログラムを格納する。ＲＡＭ２０３はＣＰＵ２０１の作業用のメモリである。
【００５０】
制御部２００には、固定記憶装置２１０、タッチパネル２２０、ワイヤレスＬＡＮＩ／Ｆ２７０、短距離無線Ｉ／Ｆ２８０、およびドックコネクタ２９０の各々がバスを介して接続されている。固定記憶装置２１０は、たとえばハードディスク装置であり、たとえばタッチパネル２２０の画素数やサイズなどの情報を含む各種情報を格納する。タッチパネル２２０は、各種の情報を表示するとともに、画面を直接タッチすることによるユーザーの操作入力を受け付ける。ワイヤレスＬＡＮＩ／Ｆ２７０は、画像形成装置１などとの間で無線通信を行う。短距離無線Ｉ／Ｆ２８０は、たとえばＢｌｕｅｔｏｏｔｈ（登録商標）やＩｒＤＡ（登録商標）などであり、主に画像形成装置１との通信に用いられる。ドックコネクタ２９０は、携帯通信端末２が画像形成装置１に装着される際に用いられる。携帯通信端末２はドックコネクタ２９０を通じて、画像形成装置１との間で各種のデータを送受信する。
【００５１】
携帯通信端末２は、たとえばドックコネクタ２９０が画像形成装置１のドックコネクタ１９０に装着された場合に、その画像形成装置１と有線接続され、通信可能な状態となる。また携帯通信端末２は、短距離無線Ｉ／Ｆ１８０および２８０を介して画像形成装置１と無線通信可能な範囲内に存在する場合に、その画像形成装置１と無線接続され、通信可能な状態となる。
【００５２】
続いて、携帯通信端末２がフリック操作を受け付けた場合の表示システムの動作について説明する。
【００５３】
図４は、携帯通信端末２がフリック操作を受け付けた場合に携帯通信端末２が表示する画面を模式的に示す図である。なお図４において、（ａ）は携帯通信端末２がフリック操作を受け付けた時（移動開始前）に携帯通信端末２が表示していた画面であり、（ｂ）および（ｃ）は画面の移動開始から移動完了前（移動中）に携帯通信端末２が表示する画面であり、（ｄ）は画面の移動完了時に携帯通信端末２が表示する画面である。（ａ）から（ｄ）はいずれも静止画面である。
【００５４】
図４（ａ）を参照して、携帯通信端末２を使用しているユーザーは、携帯通信端末２が表示する画面を（ａ）中下方向に移動したい場合に、（ａ）中の点線に沿って位置ＰＯ１から位置ＰＯ２まで、（ａ）中下方向に操作部（操作指または操作具など）を移動させるようなフリック操作をタッチパネル２２０上にて行う。このフリック操作を受け付けると、携帯通信端末２は、フリック操作に関するフリック情報を画像形成装置１に送信する。画像形成装置１は、受信したフリック情報に基づいて、移動開始から移動完了までの画面である（ｂ）、（ｃ）、および（ｄ）の画面データを携帯通信端末２へ順次送信する。携帯通信端末２は、携帯通信端末２が画像形成装置１から受信した画面データに基づいて、（ｂ）（ｃ）、および（ｄ）の画面を順次表示する。
【００５５】
携帯通信端末２が画像形成装置１に送信するフリック情報は、フリック操作の際の携帯通信端末２への操作部の接触位置、フリック操作の際の携帯通信端末２上での操作部の移動方向、フリック操作の際に携帯通信端末２から操作部が離れた位置、およびフリック操作の際の携帯通信端末２への操作部の接触時間を含んでいることが好ましい。
【００５６】
図５は、本発明の第１の実施の形態において、パネルＡとパネルＢとの間で行われる通信の一例を示すシーケンス図である。なお、以降の説明においては、第１の表示装置（画像形成装置１、表示元の表示装置）をパネルＡと呼び、第２の表示装置（携帯通信端末２、表示先の表示装置）をパネルＢと呼ぶことがある。
【００５７】
図５を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。次にパネルＡは、移動開始から移動完了までの画面の画面データ（現在の表示位置から画面移動後の状態までの画面データ）を、１枚の画面ごとに作成し、順次パネルＢに渡す。パネルＢに渡す画面データは、本実施の形態では固定記憶装置１１０が記憶している画面データである。パネルＢは、１枚の画面の画面データを受信する度に、その画面データを表示する。
【００５８】
図６は、本発明の第１の実施の形態における、パネルＢ上でフリック操作を受け付けた場合のパネルＡの動作を説明するフローチャートである。
【００５９】
図６を参照して、パネルＡのＣＰＵ１０１は、パネルＢから入力位置（操作部の接触位置）などを含むフリック情報の通知があったか否かを判別する（Ｓ２０１）。ステップＳ２０１において、フリック情報の通知があったと判別した場合（Ｓ２０１でＹｅｓ）、ＣＰＵ１０１は、フリック情報に基づいて、フリック操作による画面移動の最後の位置を計算し（Ｓ２０２）、ステップＳ２０３の処理へ進む。一方、ステップＳ２０１において、フリック情報の通知が無いと判別した場合（Ｓ２０１でＮｏ）、ＣＰＵ１０１は、ステップＳ２０１の処理を再実行する（Ｓ２０１）。
【００６０】
ステップＳ２０３において、ＣＰＵ１０１は、移動開始から移動完了までの画面の画面データを作成し（Ｓ２０３）、作成した画面データをパネルＢへ送信する（Ｓ２０４）。次にＣＰＵ１０１は、最終画面（移動完了の画面）の画面データを送信したか否かを判別する（Ｓ２０５）。
【００６１】
ステップＳ２０５において、最終画面の画面データを送信したと判別した場合（Ｓ２０５でＹｅｓ）、ＣＰＵ１０１は処理を終了する。一方、ステップＳ２０５において、最終画面の画面データを送信しないと判別した場合（Ｓ２０５でＮｏ）、ＣＰＵ１０１は、ステップＳ２０３の処理へ進み、次の画面の画面データを作成する（Ｓ２０３）。
【００６２】
図７は、本発明の第１の実施の形態における、パネルＢ上でフリック操作を受け付けた場合のパネルＢの動作を説明するフローチャートである。
【００６３】
図７を参照して、パネルＢのＣＰＵ２０１は、パネルＢ上でのフリック操作を検出したか否かを判別する（Ｓ３０１）。ステップＳ３０１において、フリック操作を検出したと判別した場合（Ｓ３０１でＹｅｓ）、ＣＰＵ２０１は、入力位置を含むフリック情報をパネルＡに通知し（Ｓ３０２）、ステップＳ３０３の処理へ進む。一方、ステップＳ３０１において、フリック操作を検出しないと判別した場合（Ｓ３０１でＮｏ）、ＣＰＵ１０１は、ステップＳ３０１の処理を再実行する（Ｓ３０１）。
【００６４】
ステップＳ３０３において、ＣＰＵ２０１は、パネルＡから画面データを受信したか否かを判別する（Ｓ３０３）。ステップＳ３０３において、画面データを受信したと判別した場合（Ｓ３０３でＹｅｓ）、ＣＰＵ２０１は、受信した画面データをパネルＢ上に表示し（Ｓ３０５）、ステップＳ３０６の処理へ進む。一方、ステップＳ３０３において、パネルＡから画面データを受信しないと判別した場合（Ｓ３０３でＮｏ）、ＣＰＵ１０１は、ステップＳ３０３の処理を再実行する（Ｓ３０３）。
【００６５】
ステップＳ３０６において、ＣＰＵ２０１は、最終画面（移動完了の画面）の画面データを受信したか否かを判別する（Ｓ３０６）。ステップＳ３０６において、最終画面の画面データを受信したと判別した場合（Ｓ３０６でＹｅｓ）、ＣＰＵ２０１は処理を終了する。一方、ステップＳ３０６において、最終画面の画面データを受信しないと判別した場合（Ｓ３０６でＮｏ）、ＣＰＵ２０１は、ステップＳ３０３の処理へ進み、パネルＡから次の画面の画面データを受信したか否かを判別する（Ｓ３０３）。
【００６６】
本実施の形態によれば、パネルＢ上でフリック操作が行われた場合に、パネルＡからパネルＢへ継続的に画面データを送ることで、フリック操作に伴う画面をパネルＢ上に表示することができる。これにより、ユーザーはリモートパネルのような環境においてもフリック操作を行えるようになり、フリック操作に伴いパネルＢが表示する移動中の画面が違和感のない（滑らかな、自然な）ものになる。その結果、ユーザーの利便性を向上することができる。
【００６７】
なお、パネルＡがフリック情報を受信した場合、パネルＡは、フリック情報に基づいて、移動開始から移動完了までの画面データの画面であって、固定記憶装置１１０が記憶する画面データの画面を、解像度を変更せずにパネルＡにも表示してもよい。
【００６８】
［第２の実施の形態］
本実施の形態では、移動開始から移動完了前までの画面データとして、パネルＡが記憶する画面データの解像度よりも低い解像度を有する画面データをパネルＡが作成し、パネルＢへ送信する実施の形態について説明する。
【００６９】
図８は、本発明の第２の実施の形態において、パネルＡとパネルＢとの間で行われる通信の一例を示すシーケンス図である。
【００７０】
図８を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。次にパネルＡは、パネルＡの固定記憶装置１１０が記憶する画面データの解像度（パネルＡに表示している画面データの解像度）よりも低い解像度で、移動開始から移動完了までの画面の画面データ（解像度を劣化させた画面データ）を１枚の画面ごとに作成し、順次パネルＢに渡す。パネルＢは、１枚の画面の画面データを受信する度に、その画面データを表示する。
【００７１】
図９は、本発明の第２の実施の形態における、パネルＢ上でフリック操作を受け付けた場合のパネルＡの動作を説明するフローチャートである。
【００７２】
図９を参照して、このフローチャートでは、始めに、図６に示す第１の実施の形態のフローチャートのステップＳ２０１およびＳ２０２と同様の処理であるステップＳ５０１およびＳ５０２の処理を経る。
【００７３】
ステップＳ５０２の処理に続いて、ＣＰＵ１０１は、固定記憶装置１１０が記憶している画面データを基に、移動開始から移動完了までの画面の画面データであって、解像度を劣化（低下）させた画面データを作成し（Ｓ５０３）、作成した画面データをパネルＢへ送信する（Ｓ５０４）。次にＣＰＵ１０１は、最終画面（移動完了の画面）の画面データを送信したか否かを判別する（Ｓ５０５）。
【００７４】
ステップＳ５０５において、最終画面の画面データを送信したと判別した場合（Ｓ５０５でＹｅｓ）、ＣＰＵ１０１は処理を終了する。一方、ステップＳ５０５において、最終画面の画面データを送信しないと判別した場合（Ｓ５０５でＮｏ）、ＣＰＵ１０１は、ステップＳ５０３の処理へ進み、解像度を低下させた次の画面の画面データを作成する（Ｓ５０３）。
【００７５】
図１０は、本発明の第２の実施の形態における、パネルＢ上でフリック操作を受け付けた場合のパネルＢの動作を説明するフローチャートである。
【００７６】
図１０を参照して、このフローチャートでは、始めに、図７に示す第１の実施の形態のフローチャートのステップＳ３０１、Ｓ３０２、およびＳ３０３の各々と同様の処理であるステップＳ６０１、Ｓ６０１、およびＳ６０３の各々の処理を経る。
【００７７】
ステップＳ６０３の処理に続いて、ＣＰＵ２０１は、パネルＡから受信した画面データをパネルＢの表示画面の大きさに拡大する（Ｓ６０４）。画面データの解像度を低下させた場合、解像度を低下させた後の画面データの表示領域の大きさは、解像度を低下する前の画面データの表示領域の大きさに比べて小さくなっている。したがって、ＣＰＵ２０１は、解像度を低下させた後の画面データに基づく画面を、パネルＢの表示画面の大きさに合わせて適切に表示するため、ステップＳ６０４の処理を実行する。その後ＣＰＵ２０１は、図７に示す第１の実施の形態のフローチャートのステップＳ３０５およびＳ３０６の各々と同様の処理であるステップＳ６０５およびＳ６０６の各々の処理を経て、処理を終了する。
【００７８】
なお、本実施の形態における上述以外のパネルＡおよびＢの動作や、表示システムの構成などは、第１の実施の形態の場合と同様であるので、その説明は繰り返さない。
【００７９】
第１の実施の形態では、パネルＢ上でのフリック操作を検知すると、現在表示している画面から少しだけ動かした画面の画面データをパネルＡが送信して、その画面データをパネルＢが受信して表示するという動作が繰り返される。このため、送信する画面データのサイズが大きい場合には、パネルＡからパネルＢへの画面データの送信速度が遅くなり、フリック操作後の画面の動きが少し動いて止まって、再び少し動いて止まってというような、滑らかでないぎざぎざした画面表示になり得る。このため、一般的なフリックの動きにはならず、ユーザーにとって使いやすい（ユーザーの感覚に合った）フリック操作を実現することができない可能性がある。
【００８０】
この原因は、フリック操作を検知した後で、画面の移動方向に少しずつ変化した画面の画面データをパネルＡから取得することを繰り返すことで、パネルＢはフリック操作に伴う移動中の画面表示を実現していることにある。つまり、リモートパネルにフリックしたときからフリックによって移動する最終位置画面になるまで、パネルＡおよびＢは何度も画面データのやりとりを行う必要がある。この画面データの通信量が大きいので、１つの画面を送受信が完了することに時間がかかる。
【００８１】
本実施の形態によれば、パネルＡからパネルＢへ送信する画面データの解像度を低下させて送信するので、画面データの通信量を小さくすることができる。その結果、フリック操作の応答性を向上することができ、ユーザーが所望するフリック操作を実現することができる。
【００８２】
なお、解像度を低下させた画面をパネルＢに表示させる場合には、パネルＡは、解像度を低下させない画面（固定記憶装置１１０が記憶する画面データの画面）をパネルＡに表示してもよい。
【００８３】
［第３の実施の形態］
本実施の形態では、移動完了の画面の画面データとして、パネルＡが記憶する画面データの解像度と同じ解像度の画面データをパネルＡがパネルＢへ送信する実施の形態について説明する。
【００８４】
図１１は、本発明の第３の実施の形態において、パネルＡとパネルＢとの間で行われる通信の一例を示すシーケンス図である。
【００８５】
図１１を参照して、パネルＡは、最後の画面の画面データ（移動完了の画面の画面データ）として、パネルＡの固定記憶装置１１０が記憶する画面データの解像度（パネルＡに表示している画面データの解像度）と同じ解像度（以降、この解像度を通常解像度と呼ぶことがある）の画面データを作成し、パネルＢへ送信する。
【００８６】
図１２は、本発明の第３の実施の形態における、パネルＢ上でフリック操作を受け付けた場合のパネルＡの動作を説明するフローチャートである。
【００８７】
図１２を参照して、このフローチャートでは、始めに、図６に示す第１の実施の形態のフローチャートのステップＳ２０１およびＳ２０２と同様の処理であるステップＳ７０１およびＳ７０２の処理を経る。
【００８８】
ステップＳ７０２の処理に続いて、ＣＰＵ１０１は、固定記憶装置１１０が記憶している画面データを基に、移動中の画面の画面データであって、解像度を劣化（低下）させた画面データを作成し（Ｓ７０３）、作成した画面データをパネルＢへ送信する（Ｓ７０４）。次にＣＰＵ１０１は、次に送信（または作成）する画面データが最後の画面の画面データ（移動完了の画面データ）であるか否かを判別する（Ｓ７０５）。
【００８９】
ステップＳ７０５において、最後の画面の画面データであると判別した場合（Ｓ７０５でＹｅｓ）、ＣＰＵ１０１は、最後の画面の画面データとして通常解像度の画面データを作成し（Ｓ７０６）、その画面データをパネルＢへ送信し（Ｓ７０７）、処理を終了する。一方、ステップＳ７０５において、最後の画面の画面データでないと判別した場合（Ｓ７０５でＮｏ）、ＣＰＵ１０１は、ステップＳ７０３の処理へ進み、固定記憶装置１１０が記憶している画面データを基に、次の画面の画面データであって、解像度を低下させた画面データを作成する（Ｓ７０３）。
【００９０】
パネルＢ上でフリック操作を受け付けた場合のパネルＢの動作については、基本的に第２の実施の形態の場合と同様である。但し、図１０に示すステップＳ６０４の処理において、パネルＡから受信した画面データが最後の画面の画面データである場合には、パネルＢは受信した画面データを拡大せずにそのまま表示する。最後の画面の画面データの表示領域は、パネルＢの表示領域と同じ大きさであるからである。
【００９１】
なお、本実施の形態における上述以外のパネルＡおよびＢの動作や、表示システムの構成などは、第１または第２の実施の形態の場合と同様であるので、その説明は繰り返さない。
【００９２】
本実施の形態によれば、移動開始から移動完了前までの画面データとして解像度を落とした画面データをパネルＡから送信した場合であっても、最後に送信する画面データ（移動完了の画面の画面データ）として通常解像度の画面データをパネルＡは送信する。このため、フリック操作に伴う画面移動が終われば、パネルＡおよびパネルＢの各々に表示している画面の解像度が同じになる。その結果、フリック操作による移動が完了した後の画面の解像度の低下を防ぐことができ、ユーザーが見やすい画面を提供することができる。
【００９３】
［第４の実施の形態］
本実施の形態では、パネルＡが、フリック情報に基づいてフリック速さを測定し、測定したフリック速さ（フリック強度、フリック速さ情報）に基づいて、パネルＡが作成する画面データの解像度を決定する実施の形態について説明する。フリック速さとは、フリック操作の際の操作部の移動速度であり、フリック操作の際のパネルＢへの操作部の接触位置、フリック操作の際にパネルＢから操作部が離れた位置、およびフリック操作の際のパネルＢへの操作部の接触時間に基づいて測定可能である。
【００９４】
図１３は、本発明の第４の実施の形態におけるフリック速さと解像度との関係を示すグラフである。
【００９５】
図１３を参照して、このグラフでは、フリック速さに比例して解像度が減少している。具体的には、フリック速さのレベルが１０段階中１０である場合には、パネルＡは、元の解像度（固定記憶装置１１０が記憶している画像データの解像度）の３０％程度の解像度に決定する。フリック速さのレベルが１０段階中５である場合には、パネルＡは、元の解像度の５０％程度の解像度に決定する。フリック速さのレベルが１０段階中１である場合には、パネルＡは、元の解像度の７０％程度の解像度に決定する。パネルＡは、決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【００９６】
図１３のグラフを用いて解像度を決定することにより、フリック速さが速くパネルＢが表示する画面を素早く移動させる必要がある場合に、１つの画面当たりの画面データの通信量を小さくすることができる。その結果、フリック操作の応答性を向上することができ、ユーザーが所望するフリック操作を実現することができる。
【００９７】
図１４は、本発明の第４の実施の形態における、パネルＢ上でフリック操作を受け付けた場合のパネルＡの動作を説明するフローチャートである。
【００９８】
図１４を参照して、このフローチャートでは、始めに、図６に示す第１の実施の形態のフローチャートのステップＳ２０１およびＳ２０２と同様の処理であるステップＳ８０１およびＳ８０２の処理を経る。
【００９９】
ステップＳ８０２の処理に続いて、ＣＰＵ１０１は、フリック情報に基づいてフリック速さを測定し、図１３に示すグラフを用いて、フリック速さから解像度を決定（計算）する（Ｓ８０３）。続いてＣＰＵ１０１は、移動開始から移動完了前までの画面の画面データとして、決定した解像度の画面データを作成し（Ｓ８０４）、作成した画面データをパネルＢに送信する（Ｓ８０５）。次にＣＰＵ１０１は、次に送信する画面データが最後の画面の画面データであるか否かを判別する（Ｓ８０６）。
【０１００】
ステップＳ８０６において、最後の画面の画面データであると判別した場合（Ｓ８０６でＹｅｓ）、ＣＰＵ１０１は、最後の画面の画面データとして通常解像度の画面データを作成し（Ｓ８０７）、その画面データをパネルＢへ送信し（Ｓ８０８）、処理を終了する。一方、ステップＳ８０６において、最後の画面の画面データでないと判別した場合（Ｓ８０６でＮｏ）、ＣＰＵ１０１は、ステップＳ８０４の処理へ進み、決定した解像度で次の画面の画面データを作成する（Ｓ８０４）。
【０１０１】
なお、本実施の形態における上述以外のパネルＡおよびＢの動作や、表示システムの構成などは、第１または第２の実施の形態の場合と同様であるので、その説明は繰り返さない。
【０１０２】
本実施の形態では、フリック速さ（フリック操作の強弱）によってパネルＡからパネルＢへ送信する画面データの解像度が変わる。特に、フリック速さが速い場合には解像度の低下率が大きくされ、フリック速さが遅い場合には、解像度の低下率が小さくされる。本実施の形態によれば、強いフリック操作が行われた場合には、フリック操作によって画面移動する量が大きいので、通信量が大きくなる。しかし、画面データの解像度がより低くなるので、通信量の増大を抑止することができ、速い画面移動が可能となる。一方、弱いフリック操作が行われた場合には、フリック操作によって画面移動する速度が遅いので、フリック操作中であっても画面が見やすくなる。しかし、画面データの解像度がより高くなるので、画面の視覚性の悪化を抑止することが可能となる。
【０１０３】
なお、本実施の形態においては、パネルＢから送信されたフリック情報に基づいてパネルＡがフリック速さを計測する場合について示したが、パネルＢがフリック速さを計測し、フリック速さを含むフリック情報をパネルＡへ送信してもよい。
【０１０４】
［第５の実施の形態］
本実施の形態では、パネルＡが、画面の移動とともに画面の解像度が徐々に増加する画面データを作成する実施の形態について説明する。
【０１０５】
図１５は、本発明の第５の実施の形態における画面移動の位置と解像度との関係を示すグラフである。
【０１０６】
図１５を参照して、このグラフでは、画面移動の位置が進む（パネルＢが表示する画面が移動完了の画面に近づく）につれて、解像度が徐々に増加している。具体的には、移動開始直後の画面データは、元の解像度の３０％程度の解像度を有している。その後、画面移動の位置に比例して画面データの解像度は増加する。画面移動の中間点の画面データは、元の解像度の５０％程度の解像度を有している。画面移動の完了直前の画面データは、元の解像度の７０％程度の解像度を有している。
【０１０７】
パネルＡは、このグラフに基づいて決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１０８】
図１６は、本発明の第５の実施の形態における、パネルＢ上でフリック操作を受け付けた場合のパネルＡの動作を説明するフローチャートである。
【０１０９】
図１６を参照して、このフローチャートでは、始めに、図６に示す第１の実施の形態のフローチャートのステップＳ２０１およびＳ２０２と同様の処理であるステップＳ１００１およびＳ１００２の処理を経る。
【０１１０】
ステップＳ１００２の処理に続いて、ＣＰＵ１０１は、フリック情報に基づいてフリック速さ（フリックの速さ情報）を測定し、図１３に示すグラフに基づいて、最初に渡す画面データ（移動開始直後の画面の画面データ）の解像度を、フリック速さから計算（決定）する（Ｓ１００３）。続いてＣＰＵ１０１は、移動開始直後の画面の画面データとして、決定した解像度の画面データを作成し（Ｓ１００４）、作成した画面データをパネルＢに送信する（Ｓ１００５）。次にＣＰＵ１０１は、次に送信する画面データが最後の画面の画面データであるか否かを判別する（Ｓ１００６）。
【０１１１】
ステップＳ１００６において、最後の画面の画面データであると判別した場合（Ｓ１００６でＹｅｓ）、ＣＰＵ１０１は、最後の画面の画面データとして通常解像度の画面データを作成し（Ｓ１００７）、その画面データをパネルＢへ送信し（Ｓ１００８）、処理を終了する。一方、ステップＳ１００６において、最後の画面の画面データでないと判別した場合（Ｓ１００６でＮｏ）、ＣＰＵ１０１は、次の画面データの解像度として、現在の画面移動の位置での解像度を、図１５に示すグラフに基づいて決定（計算）する（Ｓ１００９）。その後ＣＰＵ１０１は、ステップＳ１００４の処理へ進み、決定した解像度で次の画面データを作成する（Ｓ１００４）。
【０１１２】
なお、本実施の形態における上述以外のパネルＡおよびＢの動作や、表示システムの構成などは、第１または第２の実施の形態の場合と同様であるので、その説明は繰り返さない。
【０１１３】
フリック操作による画面移動を行う際、画面移動速度は、通常、画面の移動開始時が最も速く、画面移動の完了に近づくにつれて段々と遅くなっていく。本実施の形態では、フリック操作による画面移動の開始時には、パネルＢが表示する画面の解像度を悪くし、フリック操作による画面移動の完了に近づくにつれて、パネルＢが表示する画面の解像度を段々と良くなるようにしている。画面移動速度が遅くなると、ユーザーは画面をより細かく見ることができる。本実施の形態によれば、画面の移動速度が遅くなるにつれて解像度の低下の幅が小さくなり、ユーザーは画面移動中の画面を容易に確認することができる。その結果、視覚性が向上する。
【０１１４】
［第６の実施の形態］
本実施の形態では、パネルＡが、相対的に低い解像度の画面の中に相対的に高い解像度の画面が一定周期で出現する画面データを作成する実施の形態について説明する。
【０１１５】
図１７は、本発明の第６の実施の形態における、パネルＡが画面データを送信した回数（送信回数）と解像度との関係を示すグラフである。
【０１１６】
図１７を参照して、このグラフでは、相対的に低い解像度の中に他よりも高い解像度が挟まれている。送信回数がＮ（Ｎは自然数）の整数倍に等しい場合の画面データの解像度が、他の解像度よりも高くなっている。具体的には、パネルＡが画面データを８回（Ｎ＝８の場合）送信したうち１回の画面データは、他の７回の画面データの解像度（たとえば３０％）に比べて相対的に高い解像度（たとえば７０％）を有している。
【０１１７】
パネルＡは、このグラフに基づいて決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１１８】
図１８は、本発明の第６の実施の形態における、パネルＢ上でフリック操作を受け付けた場合のパネルＡの動作を説明するフローチャートである。
【０１１９】
図１８を参照して、このフローチャートでは、始めに、図６に示す第１の実施の形態のフローチャートのステップＳ２０１およびＳ２０２と同様の処理であるステップＳ１２０１およびＳ１２０２の処理を経る。
【０１２０】
ステップＳ１２０２の処理に続いて、ＣＰＵ１０１は、フリック情報に基づいてフリック速さを測定し、図１３に示すグラフを用いて、最初に渡す画面データ（移動開始時の画面の画面データ）の解像度を、フリック速さに基づいて計算（決定）する（Ｓ１２０３）。続いてＣＰＵ１０１は、移動開始直後の画面の画面データとして、決定した解像度の画面データを作成し（Ｓ１２０４）、作成した画面データをパネルＢに送信する（Ｓ１２０５）。次にＣＰＵ１０１は、次に送信する画面データが最後の画面の画面データであるか否かを判別する（Ｓ１２０６）。
【０１２１】
ステップＳ１２０６において、最後の画面の画面データであると判別した場合（Ｓ１２０６でＹｅｓ）、ＣＰＵ１０１は、最後の画面の画面データとして通常解像度の画面データを作成し（Ｓ１２０７）、その画面データをパネルＢへ送信し（Ｓ１２０８）、処理を終了する。一方、ステップＳ１２０６において、最後の画面の画面データでないと判別した場合（Ｓ１２０６でＮｏ）、ＣＰＵ１０１は、次に作成する画面データの送信回数がＮの整数倍であるか否かを判別する（Ｓ１２０９）。
【０１２２】
ステップＳ１２０９において、Ｎの整数倍であると判別した場合（Ｓ１２０９でＹｅｓ）、ＣＰＵ１０１は、次に作成する画面データの解像度を、送信回数がＮの整数倍でない場合の画面データの解像度よりも３０％増加させた値に決定し（Ｓ１２１０）、ステップＳ１２０４の処理へ進む。一方、ステップＳ１２０９において、Ｎの整数倍でないと判別した場合（Ｓ１２０９でＮｏ）、ＣＰＵ１０１は、ステップＳ１２０４の処理へ進み、最初に決定した解像度（フリック速さに基づいて決定した解像度）の画面データを作成する（Ｓ１２０４）。
【０１２３】
なお、本実施の形態における上述以外のパネルＡおよびＢの動作や、表示システムの構成などは、第１または第２の実施の形態の場合と同様であるので、その説明は繰り返さない。
【０１２４】
パネルＢの表示画面の移動中において、パネルＢが解像度の悪い画面を表示し続けた場合、ユーザーは、パネルＢが現在どの位置を表示しているのかを把握しにくくなる遅出がある。本実施の形態によれば、相対的に高い解像度の画面が一定周期で出現するので、ユーザーは、パネルＢが現在どの位置を表示しているのかを把握しやすくなる。
【０１２５】
［第７の実施の形態］
本実施の形態では、パネルＡが、画面の移動とともに画面の解像度が正弦波（サイン曲線）で変動する画面データを作成する実施の形態について説明する。
【０１２６】
図１９は、本発明の第７の実施の形態における、パネルＡが画面データを送信した回数（送信回数）と解像度との関係を示すグラフである。
【０１２７】
図１９を参照して、このグラフでは、パネルＡからの画面データの送信回数の増加とともに、画面データの解像度が、５０％→４０％→３０％→２０％→３０％→４０％→５０％→６０％→７０％→８０％→７０％→６０％→５０％・・・と正弦波で変化している。
【０１２８】
パネルＡは、このグラフに基づいて決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１２９】
図２０は、本発明の第７の実施の形態における、パネルＢ上でフリック操作を受け付けた場合のパネルＡの動作を説明するフローチャートである。
【０１３０】
図２０を参照して、このフローチャートでは、始めに、図６に示す第１の実施の形態のフローチャートのステップＳ２０１およびＳ２０２と同様の処理であるステップＳ１３０１およびＳ１３０２の処理を経る。
【０１３１】
ステップＳ１３０２の処理に続いて、ＣＰＵ１０１は、図１９に示すグラフ（解像度算定グラフ）を用いて、次に送信する画面の画面データの解像度を、画面データの送信回数に基づいて決定する（Ｓ１３０３）。続いてＣＰＵ１０１は、決定した解像度の画面データを作成し（Ｓ１３０４）、作成した画面データをパネルＢに送信する（Ｓ１３０５）。次にＣＰＵ１０１は、次に送信する画面データが最後の画面の画面データであるか否かを判別する（Ｓ１３０６）。
【０１３２】
ステップＳ１３０６において、最後の画面の画面データであると判別した場合（Ｓ１３０６でＹｅｓ）、ＣＰＵ１０１は、最後の画面の画面データとして通常解像度の画面データを作成し（Ｓ１３０７）、その画面データをパネルＢへ送信し（Ｓ１３０８）、処理を終了する。一方、ステップＳ１３０６において、最後の画面の画面データでないと判別した場合（Ｓ１３０６でＮｏ）、ＣＰＵ１０１は、ステップＳ１３０３の処理へ進み、次に送信する画面データの解像度を決定する（Ｓ１３０３）。
【０１３３】
なお、本実施の形態における上述以外のパネルＡおよびＢの動作や、表示システムの構成などは、第１または第２の実施の形態の場合と同様であるので、その説明は繰り返さない。
【０１３４】
本実施の形態によれば、高い解像度の画面が周期的に出現するので、ユーザーは、第６の実施の形態の場合と同様に、パネルＢが現在どの位置を表示しているのかを把握しやすくなる。
【０１３５】
［第８の実施の形態］
本実施の形態では、フリック操作におけるパネルＢへの接触位置の解像度が、フリック操作におけるパネルＢへの接触位置の周囲の解像度よりも高い画面データを、パネルＡが作成する実施の形態について説明する。
【０１３６】
図２１は、本発明の第８の実施の形態における、解像度を高くするエリアの決定方法を説明する図である。
【０１３７】
図２１を参照して、ユーザーが、図２１中の点線に沿って位置ＰＯ１から位置ＰＯ２まで図２１中下方向に操作部を移動させるようなフリック操作をパネルＢ上にて行った場合を想定する。このフリック操作に関するフリック情報をパネルＡが受信すると、パネルＡは、移動開始から移動完了前までの画面データとして、解像度を低下させた画面データを作成する。この場合パネルＡは、フリック操作におけるパネルＢへの接触位置である位置ＰＯ１を含む領域である領域ＲＥＧ１（入力があった画面上の座標軸の位置の周辺の領域）が、領域ＲＥＧ１を除く全ての領域である領域ＲＥＧ２の解像度よりも解像度の下げ幅が小さくなるように、画面データを作成する。具体的には、領域ＲＥＧ２は元の解像度の３０％程度の解像度を有しており、領域ＲＥＧ１は元の解像度の５０％程度の解像度を有している。図２１において領域ＲＥＧ１は、操作部の接触位置から図２１中上下方向に延在する中心線から、図２１中左右方向に２センチメートル以内のエリアとして、ＲＯＭ１０２などに予め設定されている。
【０１３８】
パネルＡは、上述の方法で決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１３９】
図２２は、本発明の第８の実施の形態における、パネルＢ上でフリック操作を受け付けた場合のパネルＡの動作を説明するフローチャートである。
【０１４０】
図２２を参照して、このフローチャートでは、始めに、図６に示す第１の実施の形態のフローチャートのステップＳ２０１およびＳ２０２と同様の処理であるステップＳ１５０１およびＳ１５０２の処理を経る。
【０１４１】
ステップＳ１５０２の処理に続いて、ＣＰＵ１０１は、移動開始から移動完了前までの画面の各々における領域ＲＥＧ２の解像度（画面全体の解像度）を、たとえばフリック速さなどに基づいて決定する（Ｓ１５０３）。続いてＣＰＵ１０１は、フリック情報における操作部の接触位置に基づいて、移動開始から移動完了前までの画面の各々における領域ＲＥＧ１の解像度を、ＲＥＧ１の解像度よりも部分的に高い値に決定（設定）する（Ｓ１５０４）。次にＣＰＵ１０１は、ステップＳ１５０３およびＳ１５０４において決定した解像度の画面データを作成し（Ｓ１５０５）、作成した画面データをパネルＢに送信する（Ｓ１５０６）。次にＣＰＵ１０１は、次に送信する画面データが最後の画面の画面データであるか否かを判別する（Ｓ１５０７）。
【０１４２】
ステップＳ１５０７において、最後の画面の画面データであると判別した場合（Ｓ１５０７でＹｅｓ）、ＣＰＵ１０１は、最後の画面の画面データとして通常解像度の画面データを作成し（Ｓ１５０８）、その画面データをパネルＢへ送信し（Ｓ１５０９）、処理を終了する。一方、ステップＳ１５０７において、最後の画面の画面データでないと判別した場合（Ｓ１５０７でＮｏ）、ＣＰＵ１０１は、ステップＳ１５０５の処理へ進み、次に渡す画面データを作成する（Ｓ１５０５）。
【０１４３】
なお、本実施の形態における上述以外のパネルＡおよびＢの動作や、表示システムの構成などは、第１または第２の実施の形態の場合と同様であるので、その説明は繰り返さない。
【０１４４】
フリック操作におけるパネルＢへの接触位置は、ユーザーが一番見たいエリア（ライン）である可能性が高い。本実施の形態によれば、領域ＲＥＧ１の解像度を他の領域の解像度よりも良くすることで、ユーザーが見たいエリアの画面を確認しやすくなり、ユーザーが画面を見逃すことを防ぐことができる。
【０１４５】
なお、領域ＲＥＧ１は、フリック操作におけるパネルＢへの接触位置を含んでいればよく、その形状や広さは任意に設定することができる。
【０１４６】
［第９の実施の形態］
本実施の形態では、パネルＡが、画面の端部の解像度が画面の中央部の解像度よりも低い画面データを作成する実施の形態について説明する。
【０１４７】
図２３は、本発明の第９の実施の形態における、解像度を低くするエリアの決定方法を説明する図である。
【０１４８】
図２３を参照して、パネルＡは、移動開始から移動完了前までの画面データとして、解像度を低下させた画面データを作成する。この場合パネルＡは、パネルＡの画面移動方向に対する端部（図２３中左右）付近の領域ＲＥＧ３の解像度が、画面の中央部付近の領域ＲＥＧ４の解像度よりも低くなるように、画面データを作成する。具体的には、領域ＲＥＧ４は元の解像度の４０％程度の解像度を有しており、領域ＲＥＧ３は元の解像度の１０〜２０％程度の解像度を有している。領域ＲＥＧ３は、ＲＯＭ１０２などに予め設定されている。
【０１４９】
パネルＡは、上述の方法で決定した解像度で、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１５０】
図２４は、本発明の第９の実施の形態における、パネルＢ上でフリック操作を受け付けた場合のパネルＡの動作を説明するフローチャートである。
【０１５１】
図２４を参照して、このフローチャートでは、始めに、図６に示す第１の実施の形態のフローチャートのステップＳ２０１およびＳ２０２と同様の処理であるステップＳ１７０１およびＳ１７０２の処理を経る。
【０１５２】
ステップＳ１７０２の処理に続いて、ＣＰＵ１０１は、移動開始から移動完了前までの画面の各々における領域ＲＥＧ４の解像度（画面全体の解像度）を、たとえばフリック速さなどに基づいて決定する（Ｓ１７０３）。続いてＣＰＵ１０１は、移動開始から移動完了前までの画面の各々における領域ＲＥＧ３の解像度を、ＲＥＧ４の解像度よりも部分的に低い値に決定（設定）する（Ｓ１７０４）。次にＣＰＵ１０１は、ステップＳ１７０３およびＳ１７０４において決定した解像度の画面データを作成し（Ｓ１７０５）、作成した画面データをパネルＢに送信する（Ｓ１７０６）。次にＣＰＵ１０１は、次に送信する画面データが最後の画面の画面データであるか否かを判別する（Ｓ１７０７）。
【０１５３】
ステップＳ１７０７において、最後の画面の画面データであると判別した場合（Ｓ１７０７でＹｅｓ）、ＣＰＵ１０１は、最後の画面の画面データとして通常解像度の画面データを作成し（Ｓ１７０８）、その画面データをパネルＢへ送信し（Ｓ１７０９）、処理を終了する。一方、ステップＳ１７０７において、最後の画面の画面データでないと判別した場合（Ｓ１７０７でＮｏ）、ＣＰＵ１０１は、ステップＳ１７０５の処理へ進み、次に渡す画面データを作成する（Ｓ１７０５）。
【０１５４】
なお、本実施の形態における上述以外のパネルＡおよびＢの動作や、表示システムの構成などは、第１または第２の実施の形態の場合と同様であるので、その説明は繰り返さない。
【０１５５】
たとえば上述の第８の実施の形態において、領域ＲＥＧ１の解像度を部分的に上げた場合などには、その分だけパネルＡが送信する画面データの大きさ（パネルＡとパネルＢとの通信量）が増加する。本実施の形態によれば、パネルＢの画面の端部付近の領域ＲＥＧ３の画面データの解像度を部分的に落とすことにより、パネルＡとパネルＢとの間の通信が遅くなることを抑止することができる。その結果、フリック操作の応答性を向上することができ、利便性および操作性を高めることができる。
【０１５６】
なお、領域ＲＥＧ３は、パネルＢの画面の端部であればよく、その形状や広さは任意に設定することができる。
【０１５７】
［第１０の実施の形態］
本実施の形態では、パネルＢの移動開始から移動完了前までの画面に画像が含まれている場合に、パネルＡが画像をグレーアウトした画面データを作成する実施の形態について説明する。
【０１５８】
図２５は、携帯通信端末２がフリック操作を受け付けた場合に携帯通信端末２が表示する画面であって、画像を含む画面を模式的に示す図である。なお図２５において、（ａ）は携帯通信端末２がフリック操作を受け付けた時（移動開始前）に携帯通信端末２が表示していた画面であり、（ｂ）および（ｃ）は画面の移動開始から移動完了前（移動中）に携帯通信端末２が表示する画面であり、（ｄ）は画面の移動完了時に携帯通信端末２が表示する画面である。（ａ）〜（ｄ）はいずれも静止画面である。
【０１５９】
図２５を参照して、パネルＢからフリック情報を受け付けると、パネルＡは、移動開始から移動完了前までの画面データの中に画像情報が含まれているか否かを判別する。図２５においては、移動開始から移動完了前までの画面である（ｂ）および（ｃ）の中に画像ＩＭが含まれている。このように、移動開始から移動完了前までの画面データの中に画像情報が含まれている場合、パネルＡは、移動開始から移動完了前までの画像情報のエリアをグレーアウトした画面データを作成する。なお図２５では、グレーアウトされた画像ＩＭをハッチングで示している。
【０１６０】
パネルＡは、上述の方法で画像をグレーアウトした画面データであって、移動開始から移動完了前までの画面の画面データを１枚の画面ごとに作成し、順次パネルＢへ渡す。パネルＡは、最後の画面の画面データとして、通常解像度の画面データを作成し、パネルＢへ送信する。パネルＢは、受信した画面データに基づく画面を順次表示する。
【０１６１】
図２６は、本発明の第１０の実施の形態における、パネルＢ上でフリック操作を受け付けた場合のパネルＡの動作を説明するフローチャートである。
【０１６２】
図２６を参照して、このフローチャートでは、始めに、図６に示す第１の実施の形態のフローチャートのステップＳ２０１およびＳ２０２と同様の処理であるステップＳ１９０１およびＳ１９０２の処理を経る。
【０１６３】
ステップＳ１９０２の処理に続いて、ＣＰＵ１０１は、移動開始から移動完了前までの画面データの解像度を、たとえばフリック速さなどに基づいて決定する（Ｓ１９０３）。次にＣＰＵ１０１は、パネルＡがパネルＢへ送信する次の画面データに画像情報が含まれているか否かを判別する（Ｓ１９０４）。
【０１６４】
ステップＳ１９０４において、画像情報が含まれていると判別した場合（Ｓ１９０４でＹｅｓ）、ＣＰＵ１０１は、画像情報のエリアをグレーアウトし（Ｓ１９０５）、ステップＳ１９０３の処理で決定した解像度の画面データを作成する（Ｓ１９０６）。一方、ステップＳ１９０４において、画像情報が含まれていないと判別した場合（Ｓ１９０４でＮｏ）、ＣＰＵ１０１は、グレーアウトせずにステップＳ１９０６の処理へ進む。
【０１６５】
ステップＳ１９０６の処理に続いて、ＣＰＵ１０１は、作成した画面データをパネルＢに送信する（Ｓ１９０７）。次にＣＰＵ１０１は、次に送信する画面データが最後の画面の画面データであるか否かを判別する（Ｓ１９０８）。
【０１６６】
ステップＳ１９０８において、最後の画面の画面データであると判別した場合（Ｓ１９０８でＹｅｓ）、ＣＰＵ１０１は、最後の画面の画面データとして通常解像度の画面データを作成し（Ｓ１９０９）、その画面データをパネルＢへ送信し（Ｓ１９１０）、処理を終了する。一方、ステップＳ１９０８において、最後の画面の画面データでないと判別した場合（Ｓ１９０８でＮｏ）、ＣＰＵ１０１は、ステップＳ１９０４の処理へ進み、パネルＡがパネルＢへ送信する次の画面の画面データに画像情報が含まれているか否かを判別する（Ｓ１９０４）。
【０１６７】
なお、本実施の形態における上述以外のパネルＡおよびＢの動作や、表示システムの構成などは、第１または第２の実施の形態の場合と同様であるので、その説明は繰り返さない。
【０１６８】
画面データに画像情報が含まれている場合、その分だけパネルＡが送信する画面データの大きさ（パネルＡとパネルＢとの通信量）が増加する。その結果、フリック操作による画面移動がスムーズでなくなる可能性がある。本実施の形態では、画面データに画像情報が含まれている場合には、画像情報のエリアをグレーアウトすることにより、画面データを小さくすることができる。その結果、フリック操作の応答性を向上し、利便性および操作性を高めることができる。
【０１６９】
［第１１の実施の形態］
本実施の形態では、パネルＢの移動開始から移動完了前までの画面に画像が含まれている場合に、パネルＡが、画像ＩＭの解像度が画像以外の領域の解像度よりも低い画面データを作成する実施の形態について説明する。
【０１７０】
図２５を参照して、パネルＢからフリック情報を受け付けると、パネルＡは、移動開始から移動完了前までの画面データの中に画像情報が含まれているか否かを判別する。図２５においては、移動開始から移動完了前までの画面である（ｂ）および（ｃ）の中に画像ＩＭが含まれている。このように、移動開始から移動完了前までの画面データの中に画像情報が含まれている場合、パネルＡは、移動開始から移動完了前までの画像情報のエリアの解像度を、他のエリアの解像度よりも低くした画面データを作成する。なお図２５では、解像度が低くされた画像ＩＭをハッチングで示している。具体的には、画像情報のエリアは元の解像度の１０％程度の解像度を有しており、画像情報以外のエリアは元の解像度の４０％程度の解像度を有している。
【０１７１】
図２７は、本発明の第１１の実施の形態における、パネルＢ上でフリック操作を受け付けた場合のパネルＡの動作を説明するフローチャートである。
【０１７２】
図２７を参照して、このフローチャートでは、始めに、図６に示す第１の実施の形態のフローチャートのステップＳ２０１およびＳ２０２と同様の処理であるステップＳ２００１およびＳ２００２の処理を経る。
【０１７３】
ステップＳ２００２の処理に続いて、ＣＰＵ１０１は、移動開始から移動完了前までの画面データの解像度を、たとえばフリック速さなどに基づいて決定する（Ｓ２００３）。次にＣＰＵ１０１は、パネルＡがパネルＢへ送信する次の画面データに画像情報が含まれているか否かを判別する（Ｓ２００４）。
【０１７４】
ステップＳ２００４において、画像情報が含まれていると判別した場合（Ｓ２００４でＹｅｓ）、ＣＰＵ１０１は、画像情報のエリアの解像度を部分的に特別な値にする。つまりＣＰＵ１０１は、画像情報のエリアの解像度を、画像情報以外のエリアの解像度よりも低く設定する（Ｓ２００５）。その後ＣＰＵ１０１は、ステップＳ２００３およびＳ２００５の処理で決定した解像度の画面データを作成する（Ｓ２００６）。一方、ステップＳ２００４において、画像情報が含まれていないと判別した場合（Ｓ２００４でＮｏ）、ＣＰＵ１０１は、ステップＳ２００６の処理へ進む。
【０１７５】
ステップＳ２００６の処理に続いて、ＣＰＵ１０１は、作成した画面データをパネルＢに送信する（Ｓ２００７）。次にＣＰＵ１０１は、次に送信する画面データが最後の画面の画面データであるか否かを判別する（Ｓ２００８）。
【０１７６】
ステップＳ２００８において、最後の画面の画面データであると判別した場合（Ｓ２００８でＹｅｓ）、ＣＰＵ１０１は、最後の画面の画面データとして通常解像度の画面データを作成し（Ｓ２００９）、その画面データをパネルＢへ送信し（Ｓ２０１０）、処理を終了する。一方、ステップＳ２００８において、最後の画面の画面データでないと判別した場合（Ｓ２００８でＮｏ）、ＣＰＵ１０１は、ステップＳ２００４の処理へ進み、パネルＡがパネルＢへ送信する次の画面の画面データに画像情報が含まれているか否かを判別する（Ｓ２００４）。
【０１７７】
なお、本実施の形態における上述以外のパネルＡおよびＢの動作や、表示システムの構成などは、第１または第２の実施の形態の場合と同様であるので、その説明は繰り返さない。
【０１７８】
本実施の形態によれば、画面データに画像情報が含まれている場合に、画像情報のエリアを他のエリアよりも低い解像度とすることにより、画面データを小さくすることができる。その結果、フリック操作の応答性を向上し、利便性および操作性を高めることができる。
【０１７９】
［第１２の実施の形態］
本実施の形態では、移動開始から移動完了前までの画面に重要情報が含まれている場合に、パネルＡが、重要情報の解像度が重要情報以外の領域の解像度よりも高い画面データを作成する実施の形態について説明する。
【０１８０】
重要情報とは、画面データに含まれる重要な情報である。画面データにおけるどの部分が重要情報であるかについては、画面データに記録されていることが好ましい。たとえば画面データが、宛名と住所などの連絡先とを含む宛先表のデータである場合には、宛名の先頭の読みのひらがなが「あ行」から「か行」に切り替わる宛名である「か行」の先頭の宛先が、重要情報として画面データに記録されていてもよい。画面データが、ジョブ設定を行う画面のデータである場合には、ジョブ設定を行う画面の項目種別であるスタンプ項目の先頭の設定項目が、重要情報として画面データに記録されていてもよい。
【０１８１】
パネルＡは、重要情報以外のエリアの解像度よりも解像度の下げ幅が小さくなるように、重要情報の解像度を決定する。具体的には、重要情報は元の解像度の７０％程度の解像度を有しており、重要情報以外のエリアは元の解像度の４０％程度の解像度を有している。
【０１８２】
図２８は、本発明の第１２の実施の形態における、パネルＢ上でフリック操作を受け付けた場合のパネルＡの動作を説明するフローチャートである。
【０１８３】
図２８を参照して、このフローチャートでは、始めに、図６に示す第１の実施の形態のフローチャートのステップＳ２０１およびＳ２０２と同様の処理であるステップＳ２１０１およびＳ２１０２の処理を経る。
【０１８４】
ステップＳ２１０２の処理に続いて、ＣＰＵ１０１は、移動開始から移動完了前までの画面データの解像度を、たとえばフリック速さなどに基づいて決定する（Ｓ２１０３）。次にＣＰＵ１０１は、固定記憶装置１１０が記憶している画面データを参照し、パネルＡがパネルＢへ送信する次の画面データに重要情報が含まれているか否かを判別する（Ｓ２１０４）。
【０１８５】
ステップＳ２１０４において、重要情報が含まれていると判別した場合（Ｓ２１０４でＹｅｓ）、ＣＰＵ１０１は、重要情報のエリアの解像度を部分的に特別な値にする。つまりＣＰＵ１０１は、重要情報のエリアの解像度を、重要情報以外のエリアの解像度よりも高く設定する（Ｓ２１０５）。その後ＣＰＵ１０１は、ステップＳ２１０３およびＳ２１０５の処理で決定した解像度の画面データを作成する（Ｓ２１０６）。一方、ステップＳ２１０４において、重要情報が含まれていないと判別した場合（Ｓ２１０４でＮｏ）、ＣＰＵ１０１は、ステップＳ２１０６の処理へ進む。
【０１８６】
ステップＳ２１０６の処理に続いて、ＣＰＵ１０１は、作成した画面データをパネルＢに送信する（Ｓ２１０７）。次にＣＰＵ１０１は、次に送信する画面データが最後の画面の画面データであるか否かを判別する（Ｓ２１０８）。
【０１８７】
ステップＳ２１０８において、最後の画面の画面データであると判別した場合（Ｓ２１０８でＹｅｓ）、ＣＰＵ１０１は、最後の画面の画面データとして通常解像度の画面データを作成し（Ｓ２１０９）、その画面データをパネルＢへ送信し（Ｓ２１１０）、処理を終了する。一方、ステップＳ２１０８において、最後の画面の画面データでないと判別した場合（Ｓ２１０８でＮｏ）、ＣＰＵ１０１は、ステップＳ２１０４の処理へ進み、パネルＡがパネルＢへ送信する次の画面データに画像情報が含まれているか否かを判別する（Ｓ２１０４）。
【０１８８】
なお、本実施の形態における上述以外のパネルＡおよびＢの動作や、表示システムの構成などは、第１または第２の実施の形態の場合と同様であるので、その説明は繰り返さない。
【０１８９】
画面データに重要情報が含まれている場合に、重要情報の解像度が低いとユーザーが重要情報を見落とす可能性がある。本実施の形態によれば、ユーザーに注目させるべき情報である重要情報のエリアを他のエリアよりも高い解像度とすることにより、ユーザーが重要情報に気が付きやすくなる。
【０１９０】
［その他］
上述の実施の形態は適宜組み合わせることができる。たとえば、第２〜第１２の実施の形態において、パネルＡは、パネルＢが表示している画面（パネルＢへ送信した画面データの画面）と同じ画面であって、固定記憶装置１１０が記憶する画面データの画面を、解像度を変更せずにパネルＡにも表示してもよい。さらに、パネルＡは、パネルＢから受信したフリック情報に基づいて、移動開始から移動完了までの画面データの画面であって、固定記憶装置１１０が記憶する画面データの画面を、パネルＡに表示してもよい。
【０１９１】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１９２】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９３】
１  画像形成装置
２  携帯通信端末
４  ネットワーク
４ｃ  ネットワークケーブル
１００，２００  制御部
１０１，２０１  ＣＰＵ
１０２，２０２  ＲＯＭ
１０３，２０３  ＲＡＭ
１０４  ＮＶＲＡＭ
１０５  時計ＩＣ
１１０，２１０  固定記憶装置
１２０  画像読取装置
１３０  操作パネル
１３１  テンキー
１３２  プリントキー
１３３  ログアウトキー
１３４  表示部
１４０  画像出力装置
１５０  プリンタコントローラ
１６０  ネットワークＩ／Ｆ
１７０  ワイヤレスＩ／Ｆ
１８０，２８０  短距離無線Ｉ／Ｆ
１９０  ドックコネクタ
２２０  タッチパネル
２７０  ワイヤレスＬＡＮＩ／Ｆ
２９０  ドックコネクタ
ＰＯ１，ＰＯ２  位置
ＲＥＧ１，ＲＥＧ２，ＲＥＧ３，ＲＥＧ４  領域
【図１】
0005494615.tif 000002
【図２】
0005494615.tif 000003
【図３】
0005494615.tif 000004
【図４】
0005494615.tif 000005
【図５】
0005494615.tif 000006
【図６】
0005494615.tif 000007
【図７】
0005494615.tif 000008
【図８】
0005494615.tif 000009
【図９】
0005494615.tif 000010
【図１０】
0005494615.tif 000011
【図１１】
0005494615.tif 000012
【図１２】
0005494615.tif 000013
【図１３】
0005494615.tif 000014
【図１４】
0005494615.tif 000015
【図１５】
0005494615.tif 000016
【図１６】
0005494615.tif 000017
【図１７】
0005494615.tif 000018
【図１８】
0005494615.tif 000019
【図１９】
0005494615.tif 000020
【図２０】
0005494615.tif 000021
【図２１】
0005494615.tif 000022
【図２２】
0005494615.tif 000023
【図２３】
0005494615.tif 000024
【図２４】
0005494615.tif 000025
【図２５】
0005494615.tif 000026
【図２６】
0005494615.tif 000027
【図２７】
0005494615.tif 000028
【図２８】
0005494615.tif 000029